(57)【特許請求の範囲】
【請求項１】
放電ワイヤーの清掃部材を備えた移動体を、前記放電ワイヤーに沿って往復移動自在に支持して、正逆に駆動回転自在に支持してある螺旋軸の螺旋部に係合させ、前記螺旋軸の一方向への駆動回転で、前記移動体を、前記螺旋部との係合がその端部において解除されるまで、前記放電ワイヤーに沿って駆動移動可能に設けてあるとともに、
前記螺旋部との係合が解除された移動体が前記螺旋部側に移動するように付勢可能な付勢機構を設けて、前記螺旋軸の逆回転に伴って、前記移動体を前記螺旋部に係合自在に構成し、
前記清掃部材を前記移動体に対して、一定範囲内でその移動方向に沿って相対変位自在に設けてある帯電器のワイヤー清掃装置であって、
前記清掃部材を前記移動体に対して、前記螺旋部の螺旋ピッチを越える一定範囲内で、その移動方向に沿って相対変位自在に設けてある帯電器のワイヤー清掃装置。
【発明の詳細な説明】
【技術分野】
【０００１】
本発明は、放電ワイヤーの清掃部材を備えた移動体を、前記放電ワイヤーに沿って往復移動自在に支持して、正逆に駆動回転自在に支持してある螺旋軸の螺旋部に係合させ、前記螺旋軸の一方向への駆動回転で、前記移動体を、前記螺旋部との係合がその端部において解除されるまで、前記放電ワイヤーに沿って駆動移動可能に設けてあるとともに、前記螺旋部との係合が解除された移動体が前記螺旋部側に移動するように付勢可能な付勢機構を設けて、前記螺旋軸の逆回転に伴って、前記移動体を前記螺旋部に係合自在に構成し、前記清掃部材を前記移動体に対して、一定範囲内でその移動方向に沿って相対変位自在に設けてある帯電器のワイヤー清掃装置に関する。
【背景技術】
【０００２】
上記帯電器のワイヤー清掃装置は、螺旋軸の一方向への駆動回転で、移動体を、螺旋部との係合がその端部において解除されるまで、放電ワイヤーに沿って駆動移動可能に設けてあるので、螺旋軸の回転時間や回転数などを精度良く制御することなく、移動体をその移動範囲の一端側まで簡便に移動させることができるとともに、螺旋部との係合が解除された移動体がその螺旋部側に移動するように付勢可能な付勢機構を設けて、螺旋軸の逆回転に伴って、移動体を螺旋部に係合自在に構成してあるので、螺旋軸を逆回転させると、移動範囲の一端側の移動体を移動範囲の他端側に向けて確実に移動させることができるが、従来、清掃部材を移動体に対して、螺旋部の螺旋ピッチ以下の一定範囲内で、その移動方向に沿って相対変位自在に設けてある（例えば、特許文献１参照）。
【０００３】
【特許文献１】特開平１１−３２７２６６号公報
【発明の開示】
【発明が解決しようとする課題】
【０００４】
上記帯電器のワイヤー清掃装置は、螺旋部との係合が解除された移動体がその螺旋部側に移動するように付勢可能な付勢機構を設けて、螺旋軸の逆回転に伴って、移動体を螺旋部に係合自在に構成してあるので、螺旋部との係合が解除された直後の移動体は、付勢機構の付勢力で螺旋部側に入り込むように移動し、移動体の螺旋部との係合が解除された後も、螺旋軸が同じ方向に回転し続けると、螺旋軸が一回転する毎に、移動体が、再度、螺旋部に案内されて、螺旋ピッチのストロークで螺旋軸芯方向に往復移動することになる。
この移動体の往復移動は、具体的には、図８に例示するように、螺旋状の係合片１１を、螺旋部９の螺旋ピッチＰと略同じ螺旋ピッチで、移動体５に一体に設けて、螺旋溝間で螺旋軸芯方向に相対移動自在に螺旋部９に係合し、螺旋軸７の回転に伴って、係合片１１の螺旋部９に対する係合が螺旋端部で解除されたタイミングで、図９に例示するように、係合片１１が付勢機構１８の付勢力で螺旋部９側に押し込まれ、螺旋軸７のその後の回転に伴って、係合片１１の螺旋部９に対する係合が螺旋端部で再び解除されるまで、係合片１１が螺旋部９から押し出されることの繰り返しによるものである。
ところが、従来、清掃部材を移動体に対して、螺旋部の螺旋ピッチ以下の一定範囲内で、その移動方向に沿って相対変位自在に設けてあるので、螺旋軸が一回転して、移動体が付勢機構の付勢力によって螺旋ピッチ分だけ螺旋部側に押し込まれる毎に、清掃部材がその移動体に打撃されて、放電ワイヤーに大きな負荷が衝撃的に掛かり、放電ワイヤーに大きな張力が作用したり、放電ワイヤーが捩られたりして、放電ワイヤーが切れてしまうなどの損傷を受け易い欠点がある。
つまり、図８に例示するように、係合片１１の螺旋部９に対する係合が螺旋端部で解除される直前のタイミングでは、清掃部材４が移動体５に対する相対変位範囲のうちの螺旋部９側に変位しているが、清掃部材４を移動体５に対して螺旋ピッチＰ以下の一定範囲Ｑ内で、その移動方向に沿って相対変位自在に設けてあるので、その直後に、係合片１１の螺旋部９に対する係合が解除されて、図９に例示するように、係合片１１が付勢機構１８の付勢力によって螺旋ピッチＰ分だけ螺旋部９側に押し込まれる際に、遅くとも、係合片１１が螺旋ピッチＰ分だけ螺旋部９に押し込まれたタイミングで、清掃部材４が係合片１１と一体の移動体５に打撃されるからである。
本発明は上記実情に鑑みてなされたものであって、移動体の螺旋部との係合が解除された後も、螺旋軸が同じ方向に回転し続けた場合に、放電ワイヤーが損傷を受け難い帯電器のワイヤー清掃装置を提供することを目的とする。
【課題を解決するための手段】
【０００５】
本発明の第１特徴構成は、放電ワイヤーの清掃部材を備えた移動体を、前記放電ワイヤーに沿って往復移動自在に支持して、正逆に駆動回転自在に支持してある螺旋軸の螺旋部に係合させ、前記螺旋軸の一方向への駆動回転で、前記移動体を、前記螺旋部との係合がその端部において解除されるまで、前記放電ワイヤーに沿って駆動移動可能に設けてあるとともに、前記螺旋部との係合が解除された移動体が前記螺旋部側に移動するように付勢可能な付勢機構を設けて、前記螺旋軸の逆回転に伴って、前記移動体を前記螺旋部に係合自在に構成し、前記清掃部材を前記移動体に対して、一定範囲内でその移動方向に沿って相対変位自在に設けてある帯電器のワイヤー清掃装置であって、前記清掃部材を前記移動体に対して、前記螺旋部の螺旋ピッチを越える一定範囲内で、その移動方向に沿って相対変位自在に設けてある点にある。
【０００６】
〔作用及び効果〕
清掃部材を移動体に対して、螺旋部の螺旋ピッチを越える一定範囲内で、その移動方向に沿って相対変位自在に設けてあるので、移動体の螺旋部との係合が解除された後も、螺旋軸が同じ方向に回転し続けた場合に、螺旋軸が一回転して、移動体が付勢機構の付勢力によって螺旋ピッチ分だけ螺旋部に押し込まれる毎に、清掃部材がその移動体に打撃されるようなおそれがない。
つまり、図６に例示するように、移動体５の螺旋部９に対する係合が螺旋端部で解除される直前のタイミングで、清掃部材４が移動体５に対する相対変位範囲のうちの螺旋部９側に変位していても、清掃部材４を移動体５に対して、螺旋部９の螺旋ピッチＰを越える一定範囲Ｑ内で、その移動方向に沿って相対変位自在に設けてあるので、その直後に、移動体５の螺旋部９に対する係合が解除されて、図８に例示するように、移動体５が付勢機構１８の付勢力によって螺旋ピッチＰ分だけ螺旋部９に押し込まれる時に、清掃部材４がその移動体５に打撃されるおそれがないのである。
その結果、放電ワイヤーに大きな張力を作用させたり、放電ワイヤーを捩るような大きな負荷が放電ワイヤーに衝撃的に掛かるおそれが少なくなり、放電ワイヤーが損傷を受け難い。
【発明を実施するための最良の形態】
【０００７】
以下に本発明の実施の形態を図面に基づいて説明する。尚、図面において従来例と同一の符号で表示した部分は、同一又は相当の部分を示している。
図１，２は、複写機やプリンター，ファックスなどの電子写真式画像形成装置に備えてあるコロトロン式帯電器Ａと、その帯電器Ａの放電ワイヤー１を清掃するために設けてある本発明による帯電器のワイヤー清掃装置Ｂを示している。
【０００８】
前記帯電器Ａは、感光体ドラム２の長手方向に沿って架設してあるシールド電極用の放電ワイヤー１に電圧を印加して、その近傍の空気をコロナ放電によりイオン化するコロナ放電機構を設けて、感光体ドラム２をコロナ帯電させるように構成してあり、放電ワイヤー１は、シールドケース３の感光体ドラム２側に臨む開口部に沿ってドラム軸芯と略平行に架設してある。
【０００９】
前記清掃装置Ｂは、放電ワイヤー１を挟持して研磨清掃する清掃部材４を備えた移動体５を、放電ワイヤー１に沿って往復移動自在に、シールドケース３に支持するとともに、シールドケース３の一端側に設けてある直流電動モータ利用の駆動ユニット６により正逆に駆動回転自在な螺旋軸７で、この移動体５を、清掃部材４と共に、放電ワイヤー１に沿って往復駆動移動自在な往復駆動機構８を設けて構成してある。
【００１０】
前記往復駆動機構８は、図３に示すように、螺旋ピッチＰが全長に亘って略一定の螺旋部９を螺旋軸７に設け、その螺旋部９を移動体５に一体に設けてある筒体１０に挿通して、移動体５を螺旋部９に係合させるとともに、螺旋軸７を、放電ワイヤー１に沿って、シールドケース３の長手方向両端部に回転自在に支持して構成してある。
【００１１】
具体的には、図４，５に示すように、螺旋状の係合片１１を螺旋部９の螺旋ピッチＰと略同じ螺旋ピッチで筒体１０の内側に一体形成して、その係合片１１を、螺旋溝間で螺旋軸芯方向に相対移動自在に、螺旋部９に係合させてある。
【００１２】
前記螺旋部９は、螺旋ピッチＰが全長に亘って略一定の螺旋コイル１２を丸棒１３に同芯状に外嵌固定して設けてあり、螺旋軸７の両端部には、螺旋コイル１２を固定していない丸棒部分のみからなる非螺旋部１４を設けて、筒体１０を螺旋部９から非螺旋部１４に移行自在に設け、螺旋軸７の一方向への駆動回転で、移動体５を、図６に示すように、係合片１１の螺旋部９との係合がその螺旋端部において解除されて、筒体１０が非螺旋部１４に移行するまで、清掃部材４と共に放電ワイヤー１に沿って駆動移動可能に設けて、放電ワイヤー１を清掃部材４で清掃可能に構成してある。
【００１３】
そして、非螺旋部１４を軸支する軸支部１５と螺旋部９との間の各非螺旋部１４に座板１６とコイルバネ１７とを装着して、図６に示すように、筒体１０が非螺旋部１４に移行するに伴って、その筒体１０の端面でコイルバネ１７を圧縮変形させることにより、そのコイルバネ１７に蓄力される付勢力で、図７に示すように、係合片１１の螺旋部９との係合が解除されたタイミングで、移動体５が螺旋部９側に移動するように付勢可能な付勢機構１８を設けて、螺旋軸７の逆回転に伴って、係合片１１を螺旋部９に係合自在に構成してある。
【００１４】
前記清掃部材４は、その基部１９側を移動体５に形成してある矩形凹部２０に抜け止め状態で入り込ませて、移動体５に対して、螺旋部９の螺旋ピッチＰを越える一定範囲Ｑ内で、その移動方向に沿って相対変位自在に設けてある。
【００１５】
〔その他の実施形態〕
１．本発明による帯電器のワイヤー清掃装置は、螺旋部に螺旋軸径方向から係合するピン状の係合部材を移動体側に一体に設けて、移動体を、螺旋部との係合がその端部において解除されるまで、放電ワイヤーに沿って駆動移動可能に設けてあっても良い。
２．本発明による帯電器のワイヤー清掃装置は、螺旋ピッチが螺旋軸中央部と螺旋軸端部とで異なる螺旋部を設けてあっても良く、この場合は、螺旋軸端部における螺旋ピッチを越える一定範囲内で、その移動方向に沿って相対変位自在に設けてあれば良い。
３．本発明による帯電器のワイヤー清掃装置は、スコロトロン式帯電器のワイヤー清掃装置であっても良い。
【図面の簡単な説明】
【００１６】
【図１】帯電器のワイヤー清掃装置の斜視図
【図２】要部の斜視図
【図３】要部の一部断面側面図
【図４】要部の正面図
【図５】要部の縦断面図
【図６】要部の一部断面側面図
【図７】要部の一部断面側面図
【図８】従来技術を示す要部の一部断面側面図
【図９】従来技術を示す要部の一部断面側面図
【符号の説明】
【００１７】
１  放電ワイヤー
４  清掃部材
５  移動体
７  螺旋軸
９  螺旋部
１８  付勢機構
Ｐ  螺旋ピッチ
Ｑ  一定範囲
【図１】
0004756987.tif 000002
【図２】
0004756987.tif 000003
【図３】
0004756987.tif 000004
【図４】
0004756987.tif 000005
【図５】
0004756987.tif 000006
【図６】
0004756987.tif 000007
【図７】
0004756987.tif 000008
【図８】
0004756987.tif 000009
【図９】
0004756987.tif 000010